(57)【要約】【課題】版胴、ファニッシャーロールおよび堰き止め板が摩耗することなく、かつ、版胴とファニッシャーロールの接触部の端部まで効率よくインキを供給すること。【解決手段】インキング装置は、回転可能な版胴３０と、版胴３０に接触して配置されるとともに、回転可能なファニッシャーロール２０と、版胴３０とファニッシャーロール２０との接触部の上方にインキＩを供給するためのインキ供給路８０と、版胴３０とファニッシャーロール２０の両端部からインキが流れ出ることを抑制する一対の堰き止め部１０と、を備えている。堰き止め部１０は、版胴３０およびファニッシャーロール２０に接触しないように設けられている。【選択図】図１
2012066463.tif 000002
【特許請求の範囲】
【請求項１】
回転可能な版胴と、
前記版胴に接触して配置されるとともに、回転可能なファニッシャーロールと、
前記版胴と前記ファニッシャーロールとの接触部の上方に、インキを供給するためのインキ供給路と、
前記版胴と前記ファニッシャーロールの両端部からインキが流れ出ることを抑制する一対の堰き止め部と、を備え、
前記堰き止め部は、前記版胴および前記ファニッシャーロールに接触しないように設けられていることを特徴とするインキング装置。
【請求項２】
前記ファニッシャーロールの軸方向に延在して設けられ、前記インキを受けるプールパンをさらに備え、
前記プールパンに前記堰き止め部を取り付けるための取付部が設けられていることを特徴とする請求項１に記載のインキング装置。
【請求項３】
前記取付部は金属製の材料を含み、
前記堰き止め部は、磁石からなり前記取付部に取り付けられる基部と、該基部から延びて前記版胴と前記ファニッシャーロールの両端部からインキが流れ出ることを抑制するための堰き止め板と、を有することを特徴とする請求項２に記載のインキング装置。
【請求項４】
前記堰き止め部を取り付けるための取付部をさらに備え、
前記取付部は、前記ファニッシャーロールの軸方向に延在していることを特徴とする請求項１乃至３のいずれか１項に記載のインキング装置。
【請求項５】
前記堰き止め板はアルミ合金からなることを特徴とする請求項３または４のいずれかに記載のインキング装置。
【請求項６】
前記堰き止め部は、前記ファニッシャーロールに対する高さを調整することができるようになっていることを特徴とする請求項１乃至５のいずれか１項に記載のインキング装置。
【請求項７】
回転可能な版胴と、
前記版胴に接触して配置されるとともに、回転可能なファニッシャーロールと、
前記版胴と前記ファニッシャーロールとの接触部の上方に、インキを供給するためのインキ供給路と、
前記版胴と前記ファニッシャーロールの両端部からインキが流れ出ることを抑制する一対の堰き止め部と、
前記版胴の軸方向に延在して設けられ、該版胴の表面に接触することで該版胴に付着した余剰なインキを除去するドクターと、
回転可能に設けられ、印刷物を前記版胴に押しつける圧胴と、を備え、
前記堰き止め部は、前記版胴および前記ファニッシャーロールに接触しないように設けられていることを特徴とするグラビア印刷機。
【発明の詳細な説明】
【技術分野】
【０００１】
本発明は、版胴に対してコート液、インキなど（以下インキと総称する）を供給するためのインキング装置と、このようなインキング装置を用いたグラビア印刷機に関する。
【背景技術】
【０００２】
グラビア印刷機のインキ循環方法の一つとして、残肉が少なく、泡や乾燥皮膜によるトラブルの少ないファニッシャーロール方式がある。最近では、ファニッシャーロール方式の残肉を更に低減するため、図６に示すように、ファニッシャーロール２０の上部からインキＩを供給する方法が取り入れられている。
【０００３】
インキＩはインキタンク７０からポンプなどの駆動部７５で吸い上げられ、版胴３０とファニッシャーロール２０の接触部（接触面）の上方の幅方向の中央部にインキ供給路８０によって供給される。インキ供給路８０から供給されたインキＩは版胴３０とファニッシャーロール２０の接触部に供給され、余剰なインキＩは、版胴３０とファニッシャーロール２０の両端部からインキパン３５に排出される。
【０００４】
一般的に、版胴３０とファニッシャーロール２０の両端部は、図７に示されるように開放されているため、版胴３０とファニッシャーロール２０の接触部の端部まで十分なインキＩを供給するには、過剰なインキＩの供給が必要となり、ポンプなどの駆動部７５の動力が増大してしまう。
【０００５】
この点、特許文献１では、インキが跳ねることを防止するために、密着した堰き止め板が設けている。このような態様によれば、接触部の端部まで効率よくインキを溜めることができ、過剰にインキを供給する必要がなく、ポンプなどの駆動部の動力を削減することができる。
【０００６】
しかしながら、堰き止め板が、版胴の端面とファニッシャーロールの端面に密着しているため、版胴、ファニッシャーロールおよび堰き止め板の磨耗が懸念され、実際のグラビア印刷機に導入することは困難である。また、版胴を軸方向に揺動させる場合には堰き止め板を追従させるための機構が必要となり、構造が複雑化する。
【先行技術文献】
【特許文献】
【０００７】
【特許文献１】特願平８−３９７５９号公報
【発明の概要】
【発明が解決しようとする課題】
【０００８】
本発明は、このような点を考慮してなされたものであり、版胴、ファニッシャーロールおよび堰き止め板が摩耗することなく、かつ、版胴とファニッシャーロールの接触部の端部まで効率よくインキを供給することができるインキング装置およびグラビア印刷機を提供することを目的とする。
【課題を解決するための手段】
【０００９】
本発明によるインキング装置は、
回転可能な版胴と、
前記版胴に接触して配置されるとともに、回転可能なファニッシャーロールと、
前記版胴と前記ファニッシャーロールとの接触部の上方に、インキを供給するためのインキ供給路と、
前記版胴と前記ファニッシャーロールの両端部からインキが流れ出ることを抑制する一対の堰き止め部と、を備え、
前記堰き止め部が、前記版胴および前記ファニッシャーロールに接触しないように設けられている。
【００１０】
本発明によるインキング装置は、
前記ファニッシャーロールの軸方向に延在して設けられ、前記インキを受けるプールパンをさらに備え、
前記プールパンに前記堰き止め部を取り付けるための取付部が設けられてもよい。
【００１１】
本発明によるインキング装置において、
前記取付部は金属製の材料を含み、
前記堰き止め部は、磁石からなり前記取付部に取り付けられる基部と、該基部から延びて前記版胴と前記ファニッシャーロールの両端部からインキが流れ出ることを抑制するための堰き止め板と、を有してもよい。
【００１２】
本発明によるインキング装置において、
前記取付部は、前記ファニッシャーロールの軸方向に延在してもよい。
【００１３】
本発明によるインキング装置において、
前記堰き止め板はアルミ合金からなってもよい。
【００１４】
本発明によるインキング装置において、
前記堰き止め部は、前記ファニッシャーロールに対する高さを調整することができるようになっていてもよい。
【００１５】
本発明によるグラビア印刷機は、
回転可能な版胴と、
前記版胴に接触して配置されるとともに、回転可能なファニッシャーロールと、
前記版胴と前記ファニッシャーロールとの接触部の上方に、インキを供給するためのインキ供給路と、
前記版胴と前記ファニッシャーロールの両端部からインキが流れ出ることを抑制する一対の堰き止め部と、
前記版胴の軸方向に延在して設けられ、該版胴の表面に接触することで該版胴に付着した余剰なインキを除去するドクターと、
回転可能に設けられ、印刷物を前記版胴に押しつける圧胴と、を備え、
前記堰き止め部は、前記版胴および前記ファニッシャーロールに接触しないように設けられている。
【発明の効果】
【００１６】
本発明によれば、版胴とファニッシャーロールの両端部からインキが流れ出ることを抑制する一対の堰き止め部が、版胴およびファニッシャーロールに接触しないように設けられている。このため、版胴、ファニッシャーロールおよび堰き止め板を摩耗させることなく、版胴とファニッシャーロールの接触部の端部まで効率よくインキを供給することができる。
【００１７】
また、本発明によれば、版胴を軸方向に揺動させる場合であっても、インキング装置の構造が複雑化することを防止することもできる。
【図面の簡単な説明】
【００１８】
【図１】本発明の実施の形態によるグラビア印刷機の構成を示す側方断面図。
【図２】本発明の実施の形態において、版胴とファニッシャーロールの接触部の上方にインキが溜められている様子を示す斜視図。
【図３】本発明の実施の形態において、堰き止め部が取り付けられた様子を示すための斜視図。
【図４】本発明の実施の形態による堰き止め部の構成を示す正面図および側方図。
【図５】本発明の実施の形態による堰き止め部において、高さの調整ができることを示すための正面図および側方図。
【図６】従来のグラビア印刷機の構成を示す側方断面図。
【図７】従来技術において、版胴とファニッシャーロールの接触部の上方にインキが供給された様子を示す斜視図。
【発明を実施するための形態】
【００１９】
実施の形態
以下、本発明に係るインキング装置およびグラビア印刷機の実施の形態について、図面を参照して説明する。ここで、図１乃至図５は本発明の実施の形態を示す図である。
【００２０】
図１に示すように、本実施の形態のグラビア印刷機は、インキＩを埋め込む凹部（セル）（図示せず）を有するとともに版胴軸３１を中心に回転可能な版胴３０と、版胴３０に接触して配置されるとともにファニッシャーロール軸２１を中心に回転可能なファニッシャーロール２０と、版胴３０とファニッシャーロール２０の接触部（接触面）にインキＩを供給するためのインキ供給路８０と、ファニッシャーロール２０の軸方向（ファニッシャーロール軸２１に平行な方向）に延在して設けられてファニッシャーロール２０の版胴３０側と反対側の側方（図１の右側）および下方を覆ってインキＩを受けるプールパン１５と、を備えている。なお、本実施の形態では、プールパン１５を用いたファニッシャーブレードバンク方式を用いているので、他のインキング方式と比較してインキＩの最低循環量を少なくすることができ、インキＩのコストを削減することができる。
【００２１】
また、図３に示すように、ファニッシャーロール２０の端部近辺の上方には、版胴３０とファニッシャーロール２０の両端部からインキＩが流れ出ることを抑制する一対の堰き止め部１０が設けられている。
【００２２】
なお、図２は、後述する堰き止め部１０の堰き止め板１２によって版胴３０とファニッシャーロール２０の両端部からインキＩが流れ出ることが抑制されて、版胴３０とファニッシャーロール２０の接触部の上方にインキＩが溜められている様子を示す斜視図である。この図２に示されるように、インキ供給路８０は、プールパン１５の上方で、版胴３０とファニッシャーロール２０の接触部の上方の幅方向の中央部に向かって延在し、この接触部の上方の幅方向の中央部にインキＩを供給するように構成されている。
【００２３】
本実施の形態の堰き止め部１０は、版胴３０に接触しないように設けられている。より具体的には、図４（ａ）（ｂ）に示すように、堰き止め部１０は、基部１１と、基部１１から延びて版胴３０とファニッシャーロール２０の両端部からインキＩが流れ出ることを抑制するための堰き止め板１２とを有している。なお、基部１１と堰き止め板１２とはねじ１３によって締結されている。ところで、図４（ａ）は本実施の形態による堰き止め部１０の構成を示す正面図であり、図４（ｂ）は本実施の形態による堰き止め部１０の構成を示す側方図である。
【００２４】
そして、図１に示すように、この堰き止め板１２の版胴３０側（図１の左側）の側面は上下方向に直線上に延在しており、堰き止め板１２の版胴３０側の側面と版胴３０との間には、横断面で略三角形上の空間が形成されている。
【００２５】
また、本実施の形態では、堰き止め部１０とファニッシャーロール２０との間にも間隙が設けられており、堰き止め部１０の堰き止め板１２はファニッシャーロール２０に接触しない。より具体的には、図１に示すように、堰き止め板１２の下面は、横断面が円形状であるファニッシャーロール２０の外周に沿った円弧状の形状を有しており、ファニッシャーロール２０の外周と堰き止め板１２の下面との間には一定の間隔が設けられている。
【００２６】
ところで、本実施の形態では、ファニッシャーロール２０の端部の上方に、すなわちファニッシャーロール２０に幅方向で重複するように、一対の堰き止め部１０が設けられている態様を用いて説明する。しかしながら、これに限られることはなく、例えば、ファニッシャーロール２０の端面を覆うようにして一対の堰き止め部１０が設けられてもよい。この場合にも、堰き止め部１０と、ファニッシャーロール２０および版胴３０は接触しないようになっている。
【００２７】
なお、図３に示すように、本実施の形態のプールパン１５は、ファニッシャーロール２０の版胴３０側と反対側に設けられた側方延在部１５ｂと、側方延在部１５ｂの下端部から延びてファニッシャーロール２０の下方を覆う下方延在部１５ａとを有している。そして、プールパンの側方延在部１５ｂのファニッシャーロール２０側と反対側（図１および図３の右側）に、堰き止め部１０の基部１１を取り付けるための取付金具（取付部）１６が、ファニッシャーロール２０の軸方向（ファニッシャーロール軸２１に平行な方向）で延在して設けられている。
【００２８】
なお、本実施の形態において、取付金具１６は金属製の材料からなっており、堰き止め部１０の基部１１は磁石からなっている。また、堰き止め部１０の堰き止め板１２はアルミ合金からなっている。しかしながら、これらはあくまでも一例であり、取付部の材料、基部１１の材料および堰き止め板１２の材料の各々は適宜変更することができる。ただし、堰き止め板１２の材料としてアルミ合金を用いる場合には、堰き止め板１２を軽くすることができる点で有益である。
【００２９】
また、本実施の形態では、堰き止め部１０がファニッシャーロール２０に対する高さを調整することができるようになっている。より具体的には、基部１１と堰き止め板１２との間に調整板１４を入れることによって（図５（ａ）（ｂ）参照）、堰き止め板１２の高さを高くすることができ、その結果、堰き止め板１２のファニッシャーロール２０に対する高さを調整することができる。なお、堰き止め部１０のファニッシャーロール２０に対する高さを調整する方法は、このような態様に限られることはなく、例えば取付金具１６の位置が上下方向に移動可能となり、取付金具１６の位置を変えることで堰き止め部１０のファニッシャーロール２０に対する高さを調整することもできる。
【００３０】
また、図１に示すように、インキング装置は、インキ排出路１０で排出されたインキＩを受け取って貯留するためのインキタンク７０と、インキタンク７０に貯留されたインキＩに駆動力を付与して排出するためのポンプなどの駆動部７５も有している。そして、インキタンク７０に貯留されたインキＩに駆動力が付与されることで、インキタンク７０からインキ供給路８０へとインキＩが流れ、その後、当該インキＩは、インキ供給路８０から版胴３０とファニッシャーロール２０の接触部の上方に供給されることになる。
【００３１】
なお、インキ供給路８０から版胴３０とファニッシャーロール２０の接触部の上方にインキＩが供給されると、当該インキＩは版胴３０とファニッシャーロール２０の接触部の上方に溜まる。このとき、堰き止め部１０によって、インキＩが版胴３０とファニッシャーロール２０の両端部から流れ出ることを抑制することができるので、接触部の端部まで効率よくインキＩを溜めて供給することができる。そして、溜まったインキＩが、版胴３０とファニッシャーロール２０の接触部で版胴３０の凹部に転移されることとなる。ところで、版胴３０は図１において時計回りに回転し、ファニッシャーロール２０は図１において反時計回りに回転する。このとき、ファニッシャーロール２０の回転速度は版胴３０の回転速度と比較して遅くなっている。
【００３２】
また、図１に示すように、版胴３０を基準として、ファニッシャーロール２０の反対側には、版胴３０に付着した余剰なインキＩを除去するためのドクター２５が設けられている。このドクター２５は、版胴３０の軸方向に延在しており、版胴３０の表面に接触することで版胴３０に付着した余剰なインキＩを除去する。また、このドクター２５は版胴３０の軸方向で揺動可能となっており、ドクター２５が揺動することで後述するウエブ（印刷物）６０にスジが発生することを防止することができる。
【００３３】
また、図１に示すように、版胴３０の下方には、版胴３０表面からドクター２５でかき落とされるインキＩなどを受けるためのインキパン３５が設けられている。このインキパン３５はインキタンク７０に連結されており、インキパン３５で受けたインキＩはインキタンク７０に流れ込むようになっている。
【００３４】
また、図１に示すように、版胴３０の上方には、圧胴軸４１を中心に回転可能な圧胴４０が設けられている。そして、紙などからなり帯状のウエブ（印刷物）６０が、インキＩを凹部に埋め込んで回転している版胴３０と、回転しながらウエブ６０を版胴３０に押しつける圧胴４０との間を通過することで、インキＩが版胴３０からウエブ６０に転移され、その結果、ウエブ６０に印刷が行われる。ところで、圧胴４０は図１において反時計回りに回転する。
【００３５】
次に、このような構成からなる本実施の形態の作用および効果について説明する。
【００３６】
まず、インキ供給路８０から、版胴３０とファニッシャーロール２０との接触部の上方の幅方向の中央部にインキＩが供給される。
【００３７】
このように供給されたインキＩは、版胴３０とファニッシャーロール２０の接触部の上方に溜められる。このとき、堰き止め部１０によって、インキＩが版胴３０とファニッシャーロール２０の両端部から流れ出ることを抑制することができるので、接触部の端部まで効率よくインキＩを溜めて供給することができる。
【００３８】
そして、このように溜まったインキＩが、版胴３０とファニッシャーロール２０の接触部で版胴３０の凹部に転移される。版胴３０の凹部に転移されたインキＩは、余剰な分がドクター２５で除去される。
【００３９】
そして、ドクター２５を経た版胴３０に対して、ウエブ６０が圧銅４０で押しつけられることで、インキＩが版胴３０からウエブ６０に転移され、その結果、ウエブ６０に印刷が行われる。
【００４０】
他方、版胴３０とファニッシャーロール２０の接触部において版胴３０の凹部に転移されずに、例えば版胴３０とファニッシャーロール２０の間から下方へ落ちたインキＩはプールパン１５で受けられる。そして、このようにプールパン１５で受けられたインキＩや上述のようにドクター２５で除去された余剰なインキＩは、インキパン３５で受けられる。
【００４１】
そして、インキパン３５で受けられたインキＩは、インキタンク７０に搬送されて当該インキタンク７０に貯留される。
【００４２】
その後、インキタンク７０に貯留されたインキＩは、駆動部７５からの駆動力を受けて、インキタンク７０からインキ供給路８０へ流れ込み、再び、インキ供給路８０から、版胴３０とファニッシャーロール２０との接触部の上方にインキＩが供給されることとなる。このため、インキＩを自動的に再利用することができる。
【００４３】
本実施の形態によれば、堰き止め部１０が、版胴３０およびファニッシャーロール２０に接触しないように設けられている。このため、版胴３０、ファニッシャーロール２０および堰き止め板１２が摩耗することを防止することができる。このため、摩耗に起因するメンテナンスを行う必要がない。
【００４４】
また、本実施の形態によれば、堰き止め部１０が、版胴３０およびファニッシャーロール２０に接触しないように設けられているので、版胴３０を軸方向に揺動させる態様を採用しても、インキング装置の構造が複雑化することを防止することもできる。
【００４５】
さらに、堰き止め板１２の下面が、横断面が円形状であるファニッシャーロール２０の外周に沿った円弧状の形状を有していることから、堰き止め板１２とファニッシャーロール２０との間の間隙を極力小さくすることができる。
【００４６】
他方、堰き止め板１２の版胴３０側の側面は上下方向に直線上に延在しており、堰き止め板１２の版胴３０側の側面と版胴３０との間には横断面で略三角形上の空間が形成されていることから、堰き止め板１２と版胴３０が接触することを確実に防止することができる。なお、このような態様でインキＩの流れを完全に防止しないことで、最低限必要な量のインキＩの循環を確保することもできる。
【００４７】
また、本実施の形態では、例えば図５（ａ）（ｂ）に示す態様で堰き止め部１０のファニッシャーロール２０に対する高さを調整することができるので、インキＩの性質やウエブ６０の大きさなどに合わせて接触部の上方に溜められるインキＩの量を適宜調整することができる。
【００４８】
また、本実施の形態では、従来からあるプールパン１５に取付金具１６が設けられていることから、既存のインキング装置を利用することができる。このため、本実施の形態による堰き止め部１０を容易に導入することができる。
【００４９】
また、本実施の形態では、堰き止め部１０の基部１１が磁石であることから、堰き止め部１０の取付金具１６に対する取り外しを容易に行うことができ、堰き止め部１０の洗浄を容易に行うことができる。
【００５０】
また、取付金具１６がファニッシャーロール２０のファニッシャーロール軸２１の延在する方向に延在しており、かつ、堰き止め部１０の基部１１が磁石からなることから、堰き止め部１０の設置位置を幅方向で自由に変えることができる。このため、ウエブの幅が変わって版胴３０の幅が変わる場合でも容易に設置位置を変えることができる。
【００５１】
ところで、基部１１が磁石からなる場合でなくても、本実施の形態のように取付金具１６がファニッシャーロール軸２１の延在する方向に延在していれば、例えば堰き止め部１０の基部１１に取付金具１６を挟持する挟持部を設けることで、堰き止め部１０の設置位置を幅方向で自由に変えることができる点で好ましい。
【００５２】
なお、本実施の形態によれば、版胴３０とファニッシャーロール２０の接触部の端部まで効率よくインキＩを溜めることができるので、インキＩの循環量を少なくすることができる。このため、インキＩに含まれた溶媒が蒸発することを抑制することも期待できる。
【符号の説明】
【００５３】
１０        堰き止め部
１１        基部
１２        堰き止め板
１４        調整板
１５        プールパン
１６        取付金具（取付部）
２０        ファニッシャーロール
２５        ドクター
３０        版胴
３５        インキパン
４０        圧胴
６０        ウエブ（印刷物）
７０        インキタンク
７５        駆動部
８０        インキ供給路
Ｉ          インキ
【図１】
2012066463.tif 000003
【図２】
2012066463.tif 000004
【図３】
2012066463.tif 000005
【図４】
2012066463.tif 000006
【図５】
2012066463.tif 000007
【図６】
2012066463.tif 000008
【図７】
2012066463.tif 000009